【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
画像データの輝度成分から、周波数帯域が異なる複数の輝度低周波成分を抽出する抽出手段と、
前記画像データまたは前記画像データの前記輝度成分と、前記複数の輝度低周波成分とを用いて前記画像データの色調整を行う色調整手段と、を有し、
前記色調整手段は、前記複数の輝度低周波成分のうち、相対的に低い周波数の輝度低周波成分に基づく色調整の効果が、相対的に高い輝度低周波成分に基づく色調整の効果よりも大きい場合に、前記相対的に低い周波数の輝度低周波成分に基づく色調整の効果を抑制することを特徴とする画像処理装置。
【請求項２】
画像データの輝度成分から、周波数帯域が異なる複数の輝度低周波成分を抽出する抽出手段と、
前記輝度成分と前記複数の輝度低周波成分とを用いて前記画像データの色調整を行う色調整手段と、を有し、
前記色調整手段は、前記複数の輝度低周波成分のうち相対的に低い周波数の輝度低周波成分を用いた輝度成分調整結果と前記輝度成分との第一の比率が、前記複数の輝度低周波成分のうち相対的に高い周波数の輝度低周波成分を用いた輝度成分調整結果と前記輝度成分との第二の比率よりも大きい場合、前記第一の比率に基づく色調整の効果を抑制する修正により前記第一の比率を第三の比率に修正し、前記第三の比率と前記第二の比率とに基づき前記色調整を行うことを特徴とする画像処理装置。
【請求項３】
前記色調整手段は、前記第一の比率を、前記第二の比率に近づけることにより、前記第一の比率に基づく色調整の効果を抑制することを特徴とする請求項２に記載の画像処理装置。
【請求項４】
前記色調整手段は、前記相対的に低い周波数の輝度低周波成分に基づいて色調整が行われた後の画素値が、前記相対的に高い周波数の輝度低周波成分に基づいて色調整が行われた後の画素値よりも大きいと、前記相対的に低い周波数の輝度低周波成分に基づく色調整の効果を抑制することを特徴とする請求項１に記載の画像処理装置。
【請求項５】
前記色調整手段は、前記相対的に低い周波数の輝度低周波成分に基づいて色調整が行われた後の画素値を、前記相対的に高い周波数の輝度低周波成分に基づいて色調整が行われた後の画素値に近づけることにより、前記相対的に低い周波数の輝度低周波成分に基づく色調整の効果を抑制することを特徴とする請求項４に記載の画像処理装置。
【請求項６】
前記複数の輝度低周波成分は、３以上の輝度低周波成分であり、
前記色調整手段は、前記相対的に低い周波数の輝度低周波成分に基づく色調整の効果が、前記相対的に高い輝度低周波成分に基づく色調整の効果よりも大きいか否かを、前記３以上の輝度低周波成分のうちの２つからなる複数の組の夫々について判定し、それらの判定の結果の論理和または論理積の値に応じて、前記相対的に低い周波数の輝度低周波成分に基づく色調整の効果を抑制することを特徴とする請求項１、４、５の何れか１項に記載の画像処理装置。
【請求項７】
前記色調整手段は、前記複数の輝度低周波成分の少なくとも１つについて色調整を行うことにより得られた複数の輝度低周波成分画像を重み付け加算して合成することを特徴とする請求項１、４、５、６の何れか１項に記載の画像処理装置。
【請求項８】
前記相対的に低い周波数の輝度低周波成分に基づいて色調整が行われた後の画素値に対する重み付けを、前記相対的に高い周波数の輝度低周波成分に基づいて色調整が行われた後の画素値に対する重み付けよりも軽くすることを特徴とする請求項７に記載の画像処理装置。
【請求項９】
前記画像データの画素値、または前記相対的に高い輝度低周波成分の画素値に応じて、前記色調整手段による処理を行うか否かを画素単位で判定する判定手段を有し、
前記色調整手段は、前記判定手段により、前記色調整手段による処理を行うと判定されると、前記画像データの色調整を行うことを特徴とする請求項１、４、５、６、７、８の何れか１項に記載の画像処理装置。
【請求項１０】
前記色調整手段による処理を行うか否かを画素単位で判定する判定手段を有し、
前記色調整手段は、前記色調整の程度を調整するパラメータと、前記画像データまたは前記画像データの前記輝度成分と、前記複数の輝度低周波成分とを用いて前記画像データの色調整を行い、
前記判定手段は、前記パラメータが、前記色調整の程度を閾値よりも大きくするものである場合に、前記色調整手段による処理を行うと判定し、
前記色調整手段は、前記判定手段により、前記色調整手段による処理を行うと判定されると、前記画像データの色調整を行うことを特徴とする請求項１、４、５、６、７、８の何れか１項に記載の画像処理装置。
【請求項１１】
前記複数の輝度低周波成分は、３以上の輝度低周波成分であり、
前記色調整手段は、前記第一の比率に基づく色調整の効果が、前記第二の比率に基づく色調整の効果よりも大きいか否かを、前記３以上の輝度低周波成分のうちの２つからなる複数の組の夫々について判定し、それらの判定の結果の論理和または論理積の値に応じて、前記第一の比率に基づく色調整の効果を抑制することを特徴とする請求項２又は３に記載の画像処理装置。
【請求項１２】
前記色調整手段は、前記複数の輝度低周波成分の少なくとも１つについて色調整を行うことにより得られた複数の輝度低周波成分画像を重み付け加算して合成することを特徴とする請求項２、３、１１の何れか１項に記載の画像処理装置。
【請求項１３】
前記第一の比率に基づいて色調整が行われた後の画素値に対する重み付けを、前記第二の比率に基づいて色調整が行われた後の画素値に対する重み付けよりも軽くすることを特徴とする請求項１２に記載の画像処理装置。
【請求項１４】
前記複数の輝度低周波成分のうち相対的に高い輝度低周波成分の画素値に応じて、前記色調整手段による処理を行うか否かを画素単位で判定する判定手段を有し、
前記色調整手段は、前記判定手段により、前記色調整手段による処理を行うと判定されると、前記画像データの色調整を行うことを特徴とする請求項２、３、１１、１２、１３の何れか１項に記載の画像処理装置。
【請求項１５】
前記色調整手段による処理を行うか否かを画素単位で判定する判定手段を有し、
前記色調整手段は、前記色調整の程度を調整するパラメータと、前記画像データまたは前記画像データの前記輝度成分と、前記複数の輝度低周波成分とを用いて前記画像データの色調整を行い、
前記判定手段は、前記パラメータが、前記色調整の程度を閾値よりも大きくするものである場合に、前記色調整手段による処理を行うと判定し、
前記色調整手段は、前記判定手段により、前記色調整手段による処理を行うと判定されると、前記画像データの色調整を行うことを特徴とする請求項２、３、１１、１２、１３、１４の何れか１項に記載の画像処理装置。
【請求項１６】
前記画像データの輝度成分は、前記画像データと前記画像データを構成する成分データの平均値又は最大値とのうち１つであることを特徴とする請求項２、３、１１、１２、１３、１４、１５の何れか１項に記載の画像処理装置。
【請求項１７】
コンピュータを、請求項１、４、５、６、７、８、９、１０の何れか１項に記載の画像処理装置の各手段として機能させることを特徴とするプログラム。
【請求項１８】
画像データの輝度成分から、周波数帯域が異なる複数の輝度低周波成分を抽出する抽出ステップと、
前記画像データまたは前記画像データの前記輝度成分と、前記複数の輝度低周波成分とを用いて前記画像データの色調整を行う色調整ステップと、を有し、
前記色調整ステップは、前記複数の輝度低周波成分のうち、相対的に低い周波数の輝度低周波成分に基づく色調整の効果が、相対的に高い輝度低周波成分に基づく色調整の効果よりも大きい場合に、前記相対的に低い周波数の輝度低周波成分に基づく色調整の効果を抑制することを特徴とする画像処理方法。
【請求項１９】
コンピュータを、請求項２、３、１１、１２、１３、１４、１５、１６の何れか１項に記載の画像処理装置の各手段として機能させることを特徴とするプログラム。
【請求項２０】
画像データの輝度成分から、周波数帯域が異なる複数の輝度低周波成分を抽出する抽出ステップと、
前記輝度成分と前記複数の輝度低周波成分とを用いて前記画像データの色調整を行う色調整ステップと、を有し、
前記色調整ステップは、前記複数の輝度低周波成分のうち相対的に低い周波数の輝度低周波成分を用いた輝度成分調整結果と前記輝度成分との第一の比率が、前記複数の輝度低周波成分のうち相対的に高い周波数の輝度低周波成分を用いた輝度成分調整結果と前記輝度成分との第二の比率よりも大きい場合、前記第一の比率に基づく色調整の効果を抑制する修正により前記第一の比率を第三の比率に修正し、前記第三の比率と前記第二の比率とに基づき前記色調整を行うことを特徴とする画像処理方法。
【手続補正２】
【補正対象書類名】明細書
【補正対象項目名】発明の名称
【補正方法】変更
【補正の内容】
【発明の名称】画像処理装置、画像処理方法、及びプログラム
【手続補正３】
【補正対象書類名】明細書
【補正対象項目名】００１１
【補正方法】変更
【補正の内容】
【００１１】
本発明の画像処理装置の第１の例は、画像データの輝度成分から、周波数帯域が異なる複数の輝度低周波成分を抽出する抽出手段と、前記画像データまたは前記画像データの前記輝度成分と、前記複数の輝度低周波成分とを用いて前記画像データの色調整を行う色調整手段と、を有し、前記色調整手段は、前記複数の輝度低周波成分のうち、相対的に低い周波数の輝度低周波成分に基づく色調整の効果が、相対的に高い輝度低周波成分に基づく色調整の効果よりも大きい場合に、前記相対的に低い周波数の輝度低周波成分に基づく色調整の効果を抑制することを特徴とする。
本発明の画像処理装置の第２の例は、画像データの輝度成分から、周波数帯域が異なる複数の輝度低周波成分を抽出する抽出手段と、前記輝度成分と前記複数の輝度低周波成分とを用いて前記画像データの色調整を行う色調整手段と、を有し、前記色調整手段は、前記複数の輝度低周波成分のうち相対的に低い周波数の輝度低周波成分を用いた輝度成分調整結果と前記輝度成分との第一の比率が、前記複数の輝度低周波成分のうち相対的に高い周波数の輝度低周波成分を用いた輝度成分調整結果と前記輝度成分との第二の比率よりも大きい場合、前記第一の比率に基づく色調整の効果を抑制する修正により前記第一の比率を第三の比率に修正し、前記第三の比率と前記第二の比率とに基づき前記色調整を行うことを特徴とする。
【手続補正４】
【補正対象書類名】明細書
【補正対象項目名】００１２
【補正方法】変更
【補正の内容】
【００１２】
本発明によれば、適切な明るさのデジタル画像を得ることが、従来よりも容易に且つ確実に実現することが可能になる。